(57)【要約】      （修正有）【課題】デザインの美観と多くの機能表示とを両立させた電子時計を提供する。【解決手段】電子時計１０は、文字板１１と、外部信号を受信し現地時刻を表示するワールドタイム機能と、時間を積算するクロノグラフ機能と、を備え、文字板１１には、ワールドタイム機能および前記クロノグラフ機能の少なくとも一方に関する複数の情報を表示する情報表示部を備えた複数の第１小時計８０ａ，８０ｂが設けられている。【選択図】図５
2015169497.tif 000002
【特許請求の範囲】
【請求項１】
文字板と、
外部信号を受信し現地時刻を表示するワールドタイム機能と、
時間を積算し表示するクロノグラフ機能と、を備え、
前記文字板には、前記ワールドタイム機能および前記クロノグラフ機能の少なくとも一
方に関する複数の情報が表示される情報表示部を備えた複数の第１小時計が設けられてい
ることを特徴とする電子時計。
【請求項２】
前記外部信号は衛星信号であることを特徴とする請求項１に記載の電子時計。
【請求項３】
電力を蓄積する二次電池を備えていることを特徴とする請求項１または２に記載の電子
時計。
【請求項４】
前記複数の第１小時計の一つには、前記クロノグラフ機能に関する積算時表示と、前記
二次電池の充電量表示と、を含む複数の情報を表示する前記情報表示部が設けられている
ことを特徴とする請求項３に記載の電子時計。
【請求項５】
前記複数の第１小時計の一つには、前記積算時表示と、前記ワールドタイム機能に関す
るサマータイム表示と、を含む複数の情報を表示する前記情報表示部が設けられているこ
とを特徴とする請求項１から３のいずれか一項に記載の電子時計。
【請求項６】
前記複数の第１小時計の一つには、前記積算時表示と、前記衛星信号の受信禁止表示と
、を含む複数の情報を表示する前記情報表示部が設けられていることを特徴とする請求項
２または３に記載の電子時計。
【請求項７】
前記複数の第１小時計の一つには、前記積算時表示と、前記衛星信号の受信モード表示
と、を含む複数の情報を表示する前記情報表示部が設けられていることを特徴とする請求
項２または３に記載の電子時計。
【請求項８】
前記複数の第１小時計の一つには、前記衛星信号を受信可能な航法衛星の数が表わされ
る衛星捕捉数表示と、前記衛星信号の受信結果表示と、を含む複数の情報を表示する前記
情報表示部が設けられていることを特徴とする請求項２から７のいずれか一項に記載の電
子時計。
【請求項９】
前記複数の第１小時計の一つには、前記衛星捕捉数表示と、前記現地時刻の時刻秒表示
と、を含む複数の情報を表示する前記情報表示部が設けられていることを特徴とする請求
項２から７のいずれか一項に記載の電子時計。
【請求項１０】
前記複数の第１小時計の一つには、前記時刻秒表示と、前記受信結果表示と、を含む複
数の情報を表示する前記情報表示部が設けられていることを特徴とする請求項２から７の
いずれか一項に記載の電子時計。
【請求項１１】
前記文字板には、前記複数の第１小時計と、前記クロノグラフ機能に関する積算分表示
を備えた第２小時計と、が設けられていることを特徴とする請求項１から１０のいずれか
一項に記載の電子時計。
【請求項１２】
前記文字板には、前記複数の第１小時計と、前記第２小時計と、カレンダー表示と、が
設けられていることを特徴とする請求項１１に記載の電子時計。
【請求項１３】
前記複数の第１小時計および前記第２小時計の少なくとも一つは、前記文字板の３時位
置と９時位置とを結ぶ直線に、重なる位置に設けられていることを特徴とする請求項１１
または１２に記載の電子時計。
【請求項１４】
前記複数の第１小時計および前記第２小時計の少なくとも一つは、前記文字板の１２時
位置と６時位置とを結ぶ直線に、重なる位置に設けられていることを特徴とする請求項１
１から１３のいずれか一項に記載の電子時計。
【請求項１５】
前記カレンダー表示は、前記文字板の中心より４時の方向に設けられていることを特徴
とする請求項１２から１４のいずれか一項に記載の電子時計。
【発明の詳細な説明】
【技術分野】
【０００１】
本発明は、電子時計に関する。
【背景技術】
【０００２】
従来、衛星信号を利用して現在地の位置情報を算出し、現在地のタイムゾーン（共通の
標準時を使用する地域）や、タイムゾーンで使用されている標準時と、協定世界時（ＵＴ
Ｃ：Coordinated Universal Time）との時差を表示する電子時計が知られていた。例えば
、特許文献１には、地図が表示された文字板と、複数の指針とを備え、地図上に複数の指
針で交点を作り、現在地を指示する腕時計が開示されている。また、非特許文献１には、
文字板の外周部に３９のタイムゾーンを表記し、指針にて現在地のタイムゾーンを指し示
す腕時計が開示されている。これらの腕時計は、ＧＰＳ（Global Positioning System：
全地球測位システム）などの航法衛星から衛星信号を受信する受信部を備え、４個の航法
衛星からの信号を受信して現在地の位置情報と時刻情報とを求めて、タイムゾーンの設定
および現地時刻の表示をしている。
【先行技術文献】
【特許文献】
【０００３】
【特許文献１】特開２００９−１７５０４４号公報
【非特許文献】
【０００４】
【非特許文献１】「グッズプレス  ＪＵＬＹ  ２０１３」株式会社徳間書店、平成２５年７月１０日、７５−８１頁
【発明の概要】
【発明が解決しようとする課題】
【０００５】
衛星信号を利用した電子時計は多くの機能を有しているが、さらに機能を追加したいと
の要求がある。例えば、クロノグラフ機能の追加などがある。しかしながら、これらの全
ての機能を腕時計型の電子時計に表示させようとすると、表示スペースの制限により視認
性が低下する恐れがあった。また、腕時計は宝飾品としての側面も有しており、デザイン
の美観と多くの機能表示とを両立するのが難しかった。
【課題を解決するための手段】
【０００６】
本発明は、上述の課題の少なくとも一部を解決するためになされたものであり、以下の
形態または適用例として実現することが可能である。
【０００７】
［適用例１］本適用例に係る電子時計は、文字板と、外部信号を受信し現地時刻を表示
するワールドタイム機能と、時間を積算し表示するクロノグラフ機能と、を備え、前記文
字板には、前記ワールドタイム機能および前記クロノグラフ機能の少なくとも一方に関す
る複数の情報が表示される情報表示部を備えた複数の第１小時計が設けられていることを
特徴とする。
【０００８】
本適用例によれば、電子時計は、外部信号を受信して、現在地の位置情報と時刻情報を
算出し現地時刻を表示するワールドタイム機能と、時間の積算値を表示するクロノグラフ
機能とを含む多くの機能を備えた腕時計で、ワールドタイム機能およびクロノグラフ機能
の少なくとも一方に関する複数の情報を表示する情報表示部を備えた複数の第１小時計が
、文字板に設けられている。これにより、電子時計の美観と視認性とを向上させて、多く
の情報を表示することができる。したがって、デザインの美観と多くの機能表示とを両立
させた電子時計を提供することができる。
【０００９】
［適用例２］上記適用例に記載の電子時計において、前記外部信号は衛星信号であるこ
とが好ましい。
【００１０】
本適用例によれば、電子時計は、外部信号として、航法衛星などから送信されている衛
星信号を受信する機能を備えている。これにより、世界中で正確な位置情報と時刻情報と
を得ることができる。
【００１１】
［適用例３］上記適用例に記載の電子時計は、電力を蓄積する二次電池を備えているこ
とが好ましい。
【００１２】
本適用例によれば、電子時計は、電子時計を駆動させるための電力を蓄積する二次電池
を有している。電子時計の内部または外部から二次電池に電力を充電することで、電子時
計を連続して駆動させることができる。
【００１３】
［適用例４］上記適用例に記載の電子時計において、前記複数の第１小時計の一つには
、前記クロノグラフ機能に関する積算時表示と、前記二次電池の充電量表示と、を含む複
数の情報を表示する前記情報表示部が設けられていることが好ましい。
【００１４】
本適用例によれば、電子時計は、クロノグラフ機能で積算された時間（時、分、秒）の
「時」を表す積算時表示と、二次電池に蓄積されている電力の残量を表示する充電量表示
と、を含む複数の情報を表示する情報表示部を備えている第１小時計を有している。これ
により、積算時表示と、充電量表示とを限られたスペースに視認性よく配置することがで
きる。
【００１５】
［適用例５］上記適用例に記載の電子時計において、前記複数の第１小時計の一つには
、前記積算時表示と、前記ワールドタイム機能に関するサマータイム表示と、を含む複数
の情報を表示する前記情報表示部が設けられていることが好ましい。
【００１６】
本適用例によれば、電子時計は、クロノグラフ機能で積算された時間（時、分、秒）の
「時」を表す積算時表示と、ワールドタイム機能で設定されたサマータイムのＯＮ／ＯＦ
Ｆを表すサマータイム表示と、を含む複数の情報を表示する情報表示部を備えている第１
小時計を有している。これにより、積算時表示と、サマータイム表示とを限られたスペー
スに視認性よく配置することができる。
【００１７】
［適用例６］上記適用例に記載の電子時計において、前記複数の第１小時計の一つには
、前記積算時表示と、前記衛星信号の受信禁止表示と、を含む複数の情報を表示する前記
情報表示部が設けられていることが好ましい。
【００１８】
本適用例によれば、電子時計は、クロノグラフ機能で積算された時間（時、分、秒）の
「時」を表す積算時表示と、ワールドタイム機能で衛星信号の受信がＯＦＦに設定されて
いることを表示する、または、衛星信号の受信をＯＦＦに設定させる受信禁止表示と、を
含む複数の情報を表示する情報表示部を備えた第１小時計を有している。これにより、積
算時表示と、受信禁止表示とを限られたスペースに視認性よく配置することができる。
【００１９】
［適用例７］上記適用例に記載の電子時計において、前記複数の第１小時計の一つには
、前記積算時表示と、前記衛星信号の受信モード表示と、を含む複数の情報を表示する前
記情報表示部が設けられていることが好ましい。
【００２０】
本適用例によれば、電子時計は、クロノグラフ機能で積算された時間（時、分、秒）の
「時」を表す積算時表示と、ワールドタイム機能で直前に受信した衛星信号の受信モード
を表示する受信モード表示と、を含む複数の情報を表示する情報表示部を備えた第１小時
計を有する。受信モード表示では、衛星信号から得た情報は、時刻情報のみか、時刻情報
と位置情報との両方かを知ることができる。これにより、積算時表示と、受信モード表示
とを限られたスペースに視認性よく配置することができる。
【００２１】
［適用例８］上記適用例に記載の電子時計において、前記複数の第１小時計の一つには
、前記衛星信号を受信可能な航法衛星の数が表わされる衛星捕捉数表示と、前記衛星信号
の受信結果表示と、を含む複数の情報を表示する前記情報表示部が設けられていることが
好ましい。
【００２２】
本適用例によれば、電子時計は、ワールドタイム機能で衛星信号を受信することが可能
な衛星の数が表わされる衛星捕捉数表示と、ワールドタイム機能で衛星信号を受信した時
の受信結果が表わされる受信結果表示と、を含む複数の情報を表示する情報表示部を備え
た第１小時計を有する。これにより、衛星捕捉数表示と、受信結果表示とを限られたスペ
ースに視認性よく配置することができる。
【００２３】
［適用例９］上記適用例に記載の電子時計において、前記複数の第１小時計の一つには
、前記衛星捕捉数表示と、前記現地時刻の時刻秒表示と、を含む複数の情報を表示する前
記情報表示部が設けられていることが好ましい。
【００２４】
本適用例によれば、電子時計は、ワールドタイム機能で衛星信号を受信することが可能
な衛星の数が表わされる衛星捕捉数表示と、ワールドタイム機能で受信された現地時刻（
時、分、秒）の「秒」が表わされる時刻秒表示と、を含む複数の情報を表示する情報表示
部を備えた第１小時計を有する。これにより、衛星捕捉数表示と、時刻秒表示とを限られ
たスペースに視認性よく配置することができる。
【００２５】
［適用例１０］上記適用例に記載の電子時計において、前記複数の第１小時計の一つに
は、前記時刻秒表示と、前記受信結果表示と、を含む複数の情報を表示する前記情報表示
部が設けられていることが好ましい。
【００２６】
本適用例によれば、電子時計は、ワールドタイム機能で受信された現地時刻（時、分、
秒）の「秒」が表わされる時刻秒表示と、ワールドタイム機能で衛星信号を受信した時の
受信結果が表わされる受信結果表示と、を含む複数の情報を組み合わせて表示する情報表
示部を備えた第１小時計を有する。これにより、時刻秒表示と、受信結果表示とを限られ
たスペースに視認性よく配置することができる。
【００２７】
［適用例１１］上記適用例に記載の電子時計において、前記文字板には、前記複数の第
１小時計と、前記クロノグラフ機能に関する積算分表示を備えた第２小時計と、が設けら
れていることが好ましい。
【００２８】
本適用例によれば、電子時計は、複数の情報を表示する情報表示部を備えた複数の第１
小時計と、クロノグラフ機能で積算された時間（時、分、秒）の「分」が表わされる積算
時表示を備えた第２小時計と、を文字板に設ける。これにより、多くの情報を視認性よく
文字板に表示することができる。
【００２９】
［適用例１２］上記適用例に記載の電子時計において、前記文字板には、前記複数の第
１小時計と、前記第２小時計と、カレンダー表示と、が設けられていることが好ましい。
【００３０】
本適用例によれば、電子時計は、複数の情報が表わされる情報表示部を備えた複数の第
１小時計と、クロノグラフ機能で積算された時間（時、分、秒）の「分」が表わされる積
算時表示を備えた第２小時計と、暦日（年、月、日）および曜日などの情報を表すカレン
ダー表示と、を文字板に設ける。これにより、さらに多くの情報を視認性よく文字板に表
示することができる。
【００３１】
［適用例１３］上記適用例に記載の電子時計において、前記複数の第１小時計および前
記第２小時計の少なくとも一つは、前記文字板の３時位置と９時位置とを結ぶ直線に、重
なる位置に設けられていることが好ましい。
【００３２】
本適用例によれば、電子時計は、文字板の外周に設けられている目盛の一周を１２時間
で表した場合の３時位置と９時位置とを結ぶ直線に重なる位置に、第１小時計および第２
小時計の少なくとも一つを配置する。これにより、デザイン的にバランスの取れた位置に
小時計を配置することができる。
【００３３】
［適用例１４］上記適用例に記載の電子時計において、前記複数の第１小時計および前
記第２小時計の少なくとも一つは、前記文字板の１２時位置と６時位置とを結ぶ直線に、
重なる位置に設けられていることが好ましい。
【００３４】
本適用例によれば、電子時計は、文字板の外周に設けられている目盛の一周を１２時間
で表した場合の１２時位置と６時位置とを結ぶ直線に重なる位置に、第１小時計および第
２小時計の少なくとも一つを配置する。これにより、デザイン的にバランスの取れた位置
に小時計を配置することができる。
【００３５】
［適用例１５］上記適用例に記載の電子時計において、前記カレンダー表示は、前記文
字板の中心より４時の方向に設けられていることが好ましい。
【００３６】
本適用例によれば、電子時計は、文字板の外周に設けられている目盛の一周を１２時間
で表した場合の中心と４時位置とを結ぶ直線に沿って４時の方向に、カレンダー表示を配
置する。これにより、カレンダー表示と他の情報表示とを混在させることなく、デザイン
的にバランスの取れた位置にカレンダー表示を配置することができる。また、電子時計を
左腕に装着した場合のカレンダー表示の視認性を向上させることができる。
【図面の簡単な説明】
【００３７】
【図１】実施形態に係る電子時計を含むＧＰＳの全体図。
【図２】電子時計の全体を示す斜視図。
【図３】電子時計の全体を示す６面図。
【図４】電子時計の概略を示す部分断面図。
【図５】電子時計の外観を示す概略平面図。
【図６】電子時計の電気制御ブロック図。
【発明を実施するための形態】
【００３８】
以下、本発明の実施形態について、図面を参照して説明する。なお、以下の各図におい
ては、各層や各部材を認識可能な程度の大きさにするため、各層や各部材の尺度を実際と
は異ならせている。
【００３９】
（実施形態）
本実施形態の電子時計は、ワールドタイム機能と、クロノグラフ機能と、を有している
。ワールドタイム機能とは、例えば、ＧＰＳなどの航法衛星（ＧＰＳ衛星）から送信され
ている外部信号を受信して現在地の位置情報と時刻情報とを算出して現地時刻を表示する
ものである。クロノグラフ機能とは、時間を積算表示する所謂ストップウォッチ（ストッ
プウオッチ）機能を有するものである。
図１は、実施形態に係る電子時計を含むＧＰＳの全体図である。まず、電子時計が、衛
星信号としての電波を用いて、現在地の位置情報と、時刻情報とを求めるＧＰＳの概要を
説明する。
【００４０】
電子時計１０は、ＧＰＳ衛星８からの電波（衛星信号）を受信して内部時刻を修正する
腕時計であり、腕と接触する側の面（以下、裏面という）の反対側の面（以下、表面とい
う）に時刻を表示する。ＧＰＳ衛星８は、地球の上空において、所定の軌道上を周回する
航法衛星であり、１．５７５４２ＧＨｚの電波（Ｌ１波）に航法メッセージを重畳させて
地上に送信している。以降の説明では、航法メッセージが重畳された１．５７５４２ＧＨ
ｚの電波を衛星信号という。衛星信号は、右旋偏波の円偏波である。
【００４１】
現在、地球の上空には約３１個のＧＰＳ衛星８（図１においては、４個のみを図示）が
周回しており、衛星信号がどのＧＰＳ衛星８から送信されたかを識別するために、各ＧＰ
Ｓ衛星８はＣ／Ａコード（Coarse／Acquisition Code）と呼ばれる１０２３チップ（１ｍ
ｓ周期）の固有のパターンを衛星信号に重畳する。Ｃ／Ａコードは、各チップが＋１、ま
たは−１のいずれかであり、ランダムパターンのように見える。したがって、衛星信号と
各Ｃ／Ａコードのパターンの相関をとることにより、衛星信号に重畳されているＣ／Ａコ
ードを検出することができる。
【００４２】
ＧＰＳ衛星８は原子時計を搭載しており、衛星信号には原子時計で計時された極めて正
確なＧＰＳ時刻情報が含まれている。また、地上のコントロールセグメントにより各ＧＰ
Ｓ衛星８に搭載されている原子時計のわずかな時刻誤差が測定されており、衛星信号には
その時刻誤差を補正するための時刻補正パラメーターも含まれている。電子時計１０は、
一つのＧＰＳ衛星８から送信された衛星信号を受信し、その中に含まれるＧＰＳ時刻情報
と時刻補正パラメーターとを使用して得られた正確な時刻（時刻情報）を内部時刻とする
。
【００４３】
衛星信号にはＧＰＳ衛星８の軌道上の位置を示す軌道情報も含まれている。電子時計１
０は、ＧＰＳ時刻情報と軌道情報とを使用して測位計算を行うことができる。測位計算は
、電子時計１０の内部時刻にある程度の誤差が含まれていることを前提として行われる。
すなわち、電子時計１０の三次元の位置を特定するためのｘ，ｙ，ｚパラメーターに加
えて時刻誤差も未知数になる。そのため、電子時計１０は、一般的には４つ以上のＧＰＳ
衛星８からそれぞれ送信された衛星信号を受信し、その中に含まれるＧＰＳ時刻情報と軌
道情報を使用して測位計算を行い、現在地の位置情報を求める。
【００４４】
次に、電子時計１０の概略構成について説明する。図２は、電子時計の外観を示す斜視
図であり、図３は、電子時計の外観を示す６面図である。図４は、電子時計の概略を示す
部分断面図である。
なお、図３（ａ）は電子時計を表面側から見た平面図である。図３（ｂ）は３時方向か
ら９時方向を見た側面図である。図３（ｃ）は１２時方向から６時方向を見た側面図であ
る。図３（ｄ）は９時方向から３時方向を見た側面図である。図３（ｅ）は６時方向から
１２時方向を見た側面図である。図３（ｆ）は裏面側からみた平面図である。
【００４５】
図２および図３に示すように、電子時計１０は、外装ケース３０と、カバーガラス３３
と、裏蓋３４とを備えている。外装ケース３０は、金属で形成された円筒状のケース３１
に、セラミックで形成されたベゼル３２が嵌合されて構成されている。このベゼル３２の
内周側に、プラスチックで形成されたリング状のダイヤルリング４０を介して、円盤状の
文字板１１が設けられ、文字板には指針２１，２２，２３が備えられている。
【００４６】
文字板１１には、ワールドタイム機能およびクロノグラフ機能の少なくとも一方に関す
る複数の情報を表示する情報表示部を備えた第１小時計８０ａ，８０ｂと、クロノグラフ
機能に関する積算分表示７２を備えた第２小時計７０と、カレンダー表示１５と、が設け
られている。文字板１１、指針２１，２２，２３、第１小時計８０ａ，８０ｂ、第２小時
計７０、カレンダー表示１５などは、カバーガラス３３を透して、視認可能となっている
。
【００４７】
電子時計１０は、文字板１１の外周に設けられている目盛の一周を１２時間で表した場
合に、ダイヤルリング４０に表記された「ＵＴＣ」の英字を１２時位置として、第１小時
計８０ａは、文字板１１の中心より６時方向に設けられている。外周部に複数の情報が表
示された情報表示部と、情報表示部を指し示す指針８１ａと、を備えた円形の第１小時計
８０ａは、文字板１１の１２時位置と６時位置とを結ぶ直線に、重なる位置に配置されて
いる。
第１小時計８０ｂは、文字板１１の中心より１０時方向に設けられている。外周部に複
数の情報が表示された情報表示部と、情報表示部を指し示す指針８１ｂと、を備えた円形
の第１小時計８０ｂが、文字板１１の３時位置と９時位置とを結ぶ直線に、重なる位置に
配置されている。
【００４８】
第２小時計７０は、文字板１１の中心より２時方向に設けられている。外周部に複数の
情報が表示された情報表示部と、情報表示部を指し示す指針７１と、を備えた円形の第２
小時計７０が、文字板１１の３時位置と９時位置とを結ぶ直線に、重なる位置に配置され
ている。
カレンダー表示１５は、文字板１１の中心より４時方向に設けられている。中央に暦日
（年、月、日）および曜日などの情報を表す矩形のカレンダー表示１５は、文字板１１の
中心と４時位置とを結ぶ直線に沿って配置されている。
【００４９】
本実施形態の電子時計１０は、限られたスペースにおいても、デザイン的にバランスの
取れた位置に第１小時計８０ａ，８０ｂ、第２小時計７０、カレンダー表示１５が配置さ
れているため、デザイン性を向上させて、多くの情報を視認性よく文字板１１に表示する
ことができる。また、一般的に、腕時計は左腕に装着されることが多いため、４時の方向
にカレンダー表示１５を設けることにより、多くの使用者に対して、カレンダー表示１５
の視認性を向上させることができる。
【００５０】
上述した電子時計１０では、文字板１１に、第１小時計８０ａ，８０ｂ、第２小時計７
０、およびカレンダー表示１５が設けられている形態を用いて説明したが、これにかえて
文字板１１に、少なくとも第１小時計８０ａ，８０ｂが設けられている電子時計１０であ
っても良い。
また、文字板１１に、少なくとも第１小時計８０ａ，８０ｂと、第２小時計７０が設け
られている電子時計１０であっても良い。
いずれの場合においても、限られた表示スペースにおいて、デザイン的にバランスの取
れた位置に第１小時計８０ａ，８０ｂ、および／または第２小時計７０を配置することが
できるため、多くの情報を視認性よく文字板１１に表示することができる。
【００５１】
外装ケース３０の側面には、文字板１１の中心より、８時方向の位置にＡボタン６１と
、１０時方向の位置にＢボタン６２と、２時方向の位置にＣボタン６３と、４時方向の位
置にＤボタン６４と、３時方向の位置にリュウズ５０とが、設けられている。これらのＡ
ボタン６１、Ｂボタン６２、Ｃボタン６３、Ｄボタン６４およびリュウズ５０が操作され
ることにより、操作に応じた入力信号が出力される。
【００５２】
図４に示すように、電子時計１０は、金属製の外装ケース３０の表裏に設けられた二つ
の開口のうち、文字板１１が装着された表面側の開口は、ベゼル３２を介してカバーガラ
ス３３で塞がれており、裏面側の開口は、金属で形成された裏蓋３４で塞がれている。
外装ケース３０の内側には、ベゼル３２の内周に取り付けられているダイヤルリング４
０と、光透過性の文字板１１と、文字板１１を貫通した指針軸２５と、指針軸２５を中心
に周回する指針２１，２２，２３と、指針２１，２２，２３を駆動する駆動機構１４０な
どとが備えられている。
指針軸２５は、外装ケース３０の平面視中心を通り、表裏方向に延在する中心軸に沿っ
て設けられている。
【００５３】
ダイヤルリング４０は、外周端が、ベゼル３２の内周面に接触しているとともに、一面
がカバーガラス３３と並行している平板部分と、内周端が文字板１１に接触するように、
文字板１１側へ傾斜した傾斜部分を備えている。ダイヤルリング４０は、平面視において
はリング形状となっており、断面視においてはすり鉢形状となっている。ダイヤルリング
４０の平板部分と、傾斜部分と、ベゼル３２の内周面と、によりドーナツ形状の収納空間
が形成されており、この収納空間内には、リング状のアンテナ体１１０が収納されている
。
【００５４】
このアンテナ体１１０は、リング形状の誘電体を基材として、これに金属のアンテナパ
ターンをメッキや銀ペースト印刷などにより形成したものである。このアンテナ体１１０
は、文字板１１の外周に配置されており、ベゼル３２の内周面側に配置され、さらにプラ
スチックで形成されたダイヤルリング４０、およびカバーガラス３３で覆われているため
、良好な受信を確保することが可能となっている。誘電体としては、酸化チタンなどの高
周波で使える誘電材料を樹脂に混ぜて成形することができ、これにより誘電体の波長短縮
と相俟ってアンテナをより小型化できる。
【００５５】
文字板１１は、外装ケース３０の内側で時刻を表示する円形の板材であり、プラスチッ
クなどの光透過性の材料で形成され、カバーガラス３３との間に指針２１，２２，２３な
どを備え、ダイヤルリング４０の内側に配置されている。
【００５６】
文字板１１と、駆動機構１４０などが取り付けられている地板１２５との間には、光発
電を行うソーラーパネル１３５が備えられている。ソーラーパネル１３５は、光エネルギ
ーを電気エネルギー（電力）に変換する複数のソーラーセル（光発電素子）を直列接続し
た円形の平板である。また、ソーラーパネル１３５は、太陽光の検出機能も備えている。
文字板１１、ソーラーパネル１３５および地板１２５には、指針軸２５と、第１小時計８
０ａの指針８１ａ、第１小時計８０ｂの指針８１ｂおよび第２小時計７０の指針７１の指
針軸（図示せず）とが貫通する穴が形成されているとともに、カレンダー表示１５の開口
部が形成されている。
【００５７】
駆動機構１４０は、地板１２５に取り付けられ、回路基板１２０で裏面側から覆われて
いる。駆動機構１４０は、ステップモーターと歯車などの輪列とを有し、当該ステップモ
ーターが当該輪列を介して指針軸２５を回転させることにより、指針２１，２２，２３が
駆動する。また、図２に示す第１小時計８０ａの指針８１ａ、第１小時計８０ｂの指針８
１ｂおよび第２小時計７０の指針７１も同様の駆動機構（図示せず）を有し、各指針８１
ａ，８１ｂ，７１が駆動する。
【００５８】
回路基板１２０は、バラン１２１、受信部（ＧＰＳモジュール）１２２、制御部１５０
およびリチウムイオン電池などの二次電池１３０を備えている。二次電池１３０は、ソー
ラーパネル１３５が発電した電力で充電され、その電力を蓄積する。これにより、電子時
計１０を連続して駆動させることができる。また、この回路基板１２０とアンテナ体１１
０とは、アンテナ接続ピン１１５を用い接続されている。バラン１２１は、平衡−不平衡
の変換素子であり、平衡給電で作動するアンテナ体１１０からの平衡信号を、受信部１２
２で扱うことができる不平衡信号に変換する。
【００５９】
アンテナ体１１０は、給電点を通じて給電され、この給電点には、アンテナ体１１０の
裏面側に配置されたアンテナ接続ピン１１５が接続されている。アンテナ接続ピン１１５
は金属で形成されたピン状のコネクターであり、回路基板１２０に突設されて、地板１２
５に開口された挿通孔を貫通されて収納空間内へ挿通されている。これにより、回路基板
１２０と、収納空間内部のアンテナ体１１０とが、アンテナ接続ピン１１５で接続されて
いる。
【００６０】
なお、本実施形態では、電子時計１０はソーラーパネル１３５による発電と二次電池１
３０とを駆動源とするものと説明したが、一次電池方式、他の充電方式、を用いてもよい
。一次電池方式を駆動源とすることで外装ケース３０内の機構を簡単にすることが可能と
なる。また、電磁誘導などの充電方式で蓄電する二次電池を駆動源とすることで光発電を
行うには十分な光照射がない場所や電池交換が難しい場所においても、本発明の電子時計
１０を利用することができる。
【００６１】
次に、電子時計１０の情報表示部の表示機能について説明する。図５は、電子時計の外
観を示す概略平面図である。
図５に示すように、文字板１１は、外周を６０分割にする目盛（分目盛）が表記された
時刻分表示、および外周を１２分割にする目盛（時目盛）が表記された時刻時表示を備え
ている。指針２２は、時刻分表示を用いてワールドタイム機能で求められた現地時刻（内
部時刻）の「分」を指し示す。また、指針２３は、時刻時表示を用いてワールドタイム機
能で求められた現地時刻（内部時刻）の「時」を指し示す。なお、クロノグラフ機能は、
Ｃボタン６３と、Ｄボタン６４との操作で、使用することができる。
【００６２】
次に、文字板１１に設けられている円形の第１小時計８０ａの情報表示部について説明
する。以下の外周の範囲の説明において、「ｎ時方向」（ｎ：任意の自然数）とあるが、
これは第１小時計８０ａに表示されている「０」を１２時として外周を１２時間で表した
時に、円形の中央から外周をみた方向である。また、「ｎ時方向からｍ時方向までの範囲
」（ｎ、ｍは任意の自然数）とあるが、これは第１小時計８０ａの中心を右回りで表した
範囲である。
第１小時計８０ａには、積算時表示８２と、充電量表示８４と、サマータイム表示８３
と、受信禁止表示８５と、受信許可表示（充電量表示８４と兼用）と、受信モード表示８
６と、が設けられている。
【００６３】
積算時表示８２は、第１小時計８０ａの外周において、１２時方向から６時方向までの
範囲に設けられている。積算時表示８２には、この範囲を６分割にする目盛と、「０」か
ら「５」までの数字とが表記されている。指針８１ａは、積算時表示８２を用いて、クロ
ノグラフ機能で積算された時間の「時」を指し示す。
【００６４】
サマータイム表示８３は、第１小時計８０ａの外周において、６時方向から７時方向ま
での範囲に設けられている。サマータイム表示８３には、「ＤＳＴ」の英字と「○」の記
号とが表記されている。ＤＳＴ（daylight saving time）は夏時間を意味しており、これ
らの英字と記号とは、夏時間（ＤＳＴ：夏時間ＯＮ、○：夏時間ＯＦＦ）の設定を表す。
使用者がリュウズ５０とＢボタン６２を操作して、指針８１ａを「ＤＳＴ」または「○」
に合わせることで、電子時計１０に夏時間のＯＮ／ＯＦＦを設定させることができる。
【００６５】
充電量表示８４は、第１小時計８０ａの外周において、７時方向から９時方向までの範
囲に設けられている。充電量表示８４には、外周の円周に沿って、９時方向の基端が太く
、７時方向の先端が細い三日月鎌状の記号で、二次電池１３０（図４参照）のパワーイン
ジケーターが表記されている。指針８１ａは、電池の残量に応じて、基端、中間、先端の
いずれかを指し示す。
【００６６】
受信禁止表示８５は、第１小時計８０ａの外周において、９時方向から１０時方向まで
の範囲に設けられている。受信禁止表示８５には、飛行機形状の記号が表記されており、
衛星信号の受信禁止設定を表す。航空機の離着陸時は、航空法によって衛星信号の受信が
禁止されていることより、この設定を機内モードと呼ぶ。使用者はＡボタン６１を操作し
、指針８１ａが示す先を移動させ受信禁止表示８５（機内モード）を選択することで、電
子時計１０に衛星信号の受信を停止させることができる。
【００６７】
受信許可表示は、上述した充電量表示８４との兼用で設けられている。使用者はＡボタ
ン６１を操作し、指針８１ａが示す先を、受信禁止表示８５（機内モード）から充電量表
示８４に移動させることで、電子時計１０に衛星信号を受信させることができる。なお、
本実施形態では、受信許可表示は充電量表示８４と兼用されるものとして説明したが、受
信許可表示と充電量表示８４とが各々に設けられていてもよい。
【００６８】
受信モード表示８６は、第１小時計８０ａの外周において、１０時方向から１２時方向
までの範囲に設けられている。受信モード表示８６には、「１」の数字および「４＋」の
数字と記号が表記されており、これらの数字と記号は、衛星信号の受信モードを表す。「
１」はＧＰＳ時刻情報を受信し内部時刻が修正されたことを、「４＋」はＧＰＳ時刻情報
と軌道情報とを受信し、内部時刻と後述するタイムゾーンとが修正されたことを意味する
。使用者がＢボタン６２を操作することで、指針８１ａは、「１」または「４＋」のいず
れかを指し示し、電子時計１０が直前に受信した衛星信号の受信モードを表す。
【００６９】
上述した電子時計１０では、第１小時計８０ａに、積算時表示８２と、充電量表示８４
と、サマータイム表示８３と、受信禁止表示８５と、受信許可表示と、受信モード表示８
６と、が設けられている形態を用いて説明したが、これにかえて、少なくとも上述した積
算時表示８２と、二次電池の充電量表示８４と、を含む複数の情報を表示する情報表示部
が設けられている第１小時計８０ａであってもよい。
または、少なくとも上述した積算時表示８２と、ワールドタイム機能に関するサマータ
イム表示８３と、を含む複数の情報を表示する情報表示部が設けられている第１小時計８
０ａであってもよく、少なくとも上述した積算時表示８２と、衛星信号の受信禁止表示８
５と、を含む複数の情報を表示する情報表示部が設けられている第１小時計８０ａであっ
てもよい。
さらには、少なくとも上述した積算時表示８２と、衛星信号の受信許可表示と、を含む
複数の情報を表示する情報表示部が設けられている第１小時計８０ａであってもよく、少
なくとも上述した積算時表示８２と、衛星信号の受信モード表示８６と、を含む複数の情
報を表示する情報表示部が設けられている第１小時計８０ａであってもよい。
【００７０】
次に、文字板１１に設けられている円形の第１小時計８０ｂの情報表示部について説明
する。
第１小時計８０ｂには、衛星捕捉数表示８７と、現地時刻の時刻秒表示８９と、衛星信
号の受信結果表示８８と、が設けられている。
【００７１】
衛星捕捉数表示８７は、第１小時計８０ｂの外周に設けられている。衛星捕捉数表示８
７には、外周を１２分割にする目盛と、「０」から「１１」までの数字とが表記されてい
る。使用者がＢボタン６２を操作して、電子時計１０に衛星信号を手動受信させた時、指
針８１ｂは、衛星信号を受信可能なＧＰＳ衛星８の数を表す衛星捕捉数を「０」から「１
１」までのいずれかの数字を指し示す。これにより、衛星捕捉数が表示される。
【００７２】
時刻秒表示８９は、第１小時計８０ｂの外周に設けられている。時刻秒表示８９は、外
周を６０分割にする目盛が表記されており、指針８１ｂは、時刻秒表示８９を用いて現地
時刻（内部時刻）の「秒」を指し示す。
【００７３】
受信結果表示８８は、第１小時計８０ｂの時刻秒表示８９において、４５秒から６０秒
までの範囲に英字の「Ｙ」表示８８ａと、３０秒から４５秒までの範囲に英字の「Ｎ」表
示８８ｂとが、１５秒と４５秒とを結ぶ直線に対して線対称、かつ第１小時計８０ｂの外
周を１２分割にする長い目盛と重ならない位置に表記され設けられている。これにより、
第１小時計８０ｂの外周を１２分割にする目盛と、６０分割する目盛と、受信結果表示８
８とを面積の狭い第１小時計８０ｂの中に、判読性を確保しながらバランスよくレイアウ
トすることができる。「Ｙ」表記８８ａと、「Ｎ」表記８８ｂとの英字は、衛星信号の受
信結果（Ｙ：受信成功、Ｎ：受信失敗）と、衛星信号の自動受信（Ｙ：自動受信ＯＮ、Ｎ
：自動受信ＯＦＦ）の設定とを表す。
【００７４】
使用者がＢボタン６２を操作することにより、指針８１ｂが「Ｙ」表示８８ａまたは「
Ｎ」表示８８ｂのいずれか一方を指示し、衛星信号の受信結果を表示する。また、使用者
がＡボタン６１とＢボタン６２とを操作して、指針８１ｂを「Ｙ」表示８８ａまたは「Ｎ
」表示８８ｂに合わせることで、衛星信号の自動受信のＯＮ／ＯＦＦを設定することがで
きる。
なお、本実施形態では、５２秒の位置に「Ｙ」表示８８ａが、３８秒の位置に「Ｎ」表
示８８ｂが、設けられているが、これに限定されるものではない。「Ｙ」表示８８ａと「
Ｎ」表示８８ｂとの表記は、受信結果表示８８を含む小時計が設けられる位置に応じて、
視認しやすい位置に設けることが好ましい。
【００７５】
上述した電子時計１０では、第１小時計８０ｂに衛星捕捉数表示８７と、現地時刻の時
刻秒表示８９と、衛星信号の受信結果表示８８と、が設けられている形態を用いて説明し
たが、これにかえて、少なくとも上述した衛星捕捉数表示８７と、現地時刻の時刻秒表示
と、を含む複数の情報を表示する情報表示部が設けられている第１小時計８０ｂであって
も良い。
または、少なくとも上述した衛星捕捉数表示８７と、衛星信号の受信結果表示８８と、
を含む複数の情報を表示する情報表示部が設けられている第１小時計８０ｂであっても良
く、少なくとも上述した時刻秒表示８９と、上述した受信結果表示８８と、を含む複数の
情報を表示する情報表示部が設けられている第１小時計８０ｂであっても良い。
【００７６】
次に、文字板１１に設けられている円形の第２小時計７０の積算分表示７２について説
明する。
第２小時計７０には、積算分表示７２が設けられている。積算分表示７２は、第２小時
計７０の外周に設けられており、外周を６０分割にする目盛と、「１０」から「６０」ま
での１０刻みの数字とを表記したワールドタイム機能に関する積算分が表示される。指針
７１は、積算分表示７２を用いてクロノグラフ機能で積算された時間の「分」を指し示す
。なお、クロノグラフ機能では、指針２１，７１，８１ａを使用して５時間５９分５９秒
までの計時が可能となっている。
【００７７】
次に、文字板１１に設けられている矩形のカレンダー表示１５について説明する。
カレンダー表示１５は、文字板１１を矩形状に開口した開口部に設けられており、開口
部から数字が視認可能となっている。この数字は、年月日の「日」を表す。
【００７８】
本実施形態では、第１小時計８０ａは、文字板１１の中心より６時方向、かつ１２時位
置と６時位置とを結ぶ直線に重なる位置に設けられ、第１小時計８０ｂは、文字板１１の
中心より１０時方向、かつ３時位置と９時位置とを結ぶ直線に重なる位置に設けられてい
るものとして説明した。しかし、各々の第１小時計８０ａ，８０ｂの情報表示部が備える
情報の組み合わせと、各々の第１小時計８０ａ，８０ｂが設けられる位置と、をこれに限
定するものではない。
文字板１１は、文字板１１の中心と３時位置とを結ぶ直線、文字板１１の中心と６時位
置とを結ぶ直線、文字板１１の中心と９時位置とを結ぶ直線および文字板１１の中心と１
２時位置とを結ぶ直線のいずれかの直線と重なる位置に、第１小時計８０ａ，８０ｂまた
は第２小時計７０のいずれかを設けることができる。以下に、第１小時計８０ａ，８０ｂ
が設けられる位置と、各々の小時計（第１小時計８０ａ，８０ｂ）の情報表示部が備える
各種表示との具体的な実施例を示す。
【００７９】
＜位置＞
実施例の文字板１１は、上述した所定の直線と重なる位置に設けられた第１小時計８０
ａと、第１小時計８０ａから文字板１１の中心を右回りに隣り合う直線と重なる位置に設
けられた第１小時計８０ｂと、を備えることができる。
【００８０】
＜表示＞
（実施例１）
第１小時計８０ａには積算時表示８２とサマータイム表示８３とを含む情報表示部が備
えられ、第１小時計８０ｂには衛星捕捉数表示８７と受信結果表示８８とを含む情報表示
部が備えられている。
【００８１】
（実施例２）
第１小時計８０ａには積算時表示８２とサマータイム表示８３とを含む情報表示部が備
えられ、第１小時計８０ｂには衛星捕捉数表示８７と時刻秒表示８９とを含む情報表示部
が備えられている。
【００８２】
（実施例３）
第１小時計８０ａには積算時表示８２とサマータイム表示８３とを含む情報表示部が備
えられ、第１小時計８０ｂには時刻秒表示８９と受信結果表示８８とを含む情報表示部が
備えられている。
【００８３】
（実施例４）
第１小時計８０ａには積算時表示８２と充電量表示８４とを含む情報表示部が備えられ
、第１小時計８０ｂには衛星捕捉数表示８７と受信結果表示８８とを含む情報表示部が備
えられている。
【００８４】
（実施例５）
第１小時計８０ａには積算時表示８２と充電量表示８４とを含む情報表示部が備えられ
、第１小時計８０ｂには衛星捕捉数表示８７と時刻秒表示８９とを含む情報表示部が備え
られている。
【００８５】
（実施例６）
第１小時計８０ａには積算時表示８２と充電量表示８４とを含む情報表示部が備えられ
、第１小時計８０ｂには時刻秒表示８９と受信結果表示８８とを含む情報表示部が備えら
れている。
【００８６】
（実施例７）
第１小時計８０には積算時表示８２と受信禁止表示８５とを含む情報表示部が備えられ
、第１小時計８０ｂには衛星捕捉数表示８７と受信結果表示８８とを含む情報表示部が備
えられている。
【００８７】
（実施例８）
第１小時計８０ａには積算時表示８２と受信禁止表示８５とを含む情報表示部が備えら
れ、第１小時計８０ｂには衛星捕捉数表示８７と時刻秒表示８９とを含む情報表示部が備
えられている。
【００８８】
（実施例９）
第１小時計８０ａには積算時表示８２と受信禁止表示８５とを含む情報表示部が備えら
れ、第１小時計８０ｂには時刻秒表示８９と受信結果表示８８とを含む情報表示部が備え
られている。
【００８９】
（実施例１０）
第１小時計８０ａには積算時表示８２と受信モード表示８６とを含む情報表示部が備え
られ、第１小時計８０ｂには衛星捕捉数表示８７と受信結果表示８８とを含む情報表示部
が備えられている。
【００９０】
（実施例１１）
第１小時計８０ａには積算時表示８２と受信モード表示８６とを含む情報表示部が備え
られ、第１小時計８０ｂには衛星捕捉数表示８７と時刻秒表示８９とを含む情報表示部が
備えられている。
【００９１】
（実施例１２）
第１小時計８０ａには積算時表示８２と受信モード表示８６とを含む情報表示部が備え
られ、第１小時計８０ｂには時刻秒表示８９と受信結果表示８８とを含む情報表示部が備
えられている。
【００９２】
ここで、協定世界時（ＵＴＣ）と、時差と、標準時と、タイムゾーン（Time zone）と
の関係を説明する。
タイムゾーンとは、共通の標準時を使用する地域のことであり、現在、４０種類のタイ
ムゾーンが存在している。各タイムゾーンは、標準時とＵＴＣとの時差で区別され、例え
ば、日本は、ＵＴＣより９時間進んだ標準時を使用する、＋９時間（時差）のタイムゾー
ンに属している。各タイムゾーンで使用されている標準時は、ＵＴＣと、ＵＴＣとの時差
とで求めることができる。
【００９３】
次に、ダイヤルリング４０とベゼル３２とに設けられているタイムゾーン表示４６につ
いて説明する。タイムゾーン表示４６とは、ダイヤルリング４０に表記されている時差表
示４５とベゼル３２に表記されている都市表示３５との総称である。
表面側からの平面視において、ダイヤルリング４０には、時差の基準となる協定世界時
を示す「ＵＴＣ」の英字と、タイムゾーンで使用されている標準時とＵＴＣとの時差を表
す数値または記号とを表記した時差表示４５が設けられている。
指針２２，２３，８１ｂで指し示された現地時刻とＵＴＣとの時差は、リュウズ５０の
操作により指針２１の指し示す時差表示４５で確認することができる。なお、本実施形態
では、世界協定時は「ＵＴＣ」の英字で表し、整数以外の時差を表す表示は「・」記号で
表記しているが、他の英字、または記号を用いて表現してもよい。
【００９４】
ベゼル３２には、ダイヤルリング４０に表記されている時差に対応したタイムゾーンの
代表都市名を表すコードを表記した都市表示３５が設けられている。本実施形態では、代
表都市名に三文字の英字で略したスリーレターコードが使用されている。「ＬＯＮ」はロ
ンドン、「ＰＡＲ」はパリ、「ＣＡＩ」はカイロ、「ＪＥＤ」はジッダ、「ＤＸＢ」はド
バイ、「ＫＨＩ」はカラチ、「ＤＥＬ」はデリー、「ＤＡＣ」はダッカ、「ＢＫＫ」はバ
ンコク、「ＢＪＳ」は北京、「ＴＹＯ」は東京、「ＡＤＬ」はアデレード、「ＳＹＤ」は
シドニー、「ＮＯＵ」ネーメア、「ＷＬＧ」はウェリントン、「ＴＢＵ」はヌクアロファ
、「ＣＸＩ」はキリスィマスィ島、「ＭＤＹ」はミッドウェー島、「ＨＮＬ」はホノルル
、「ＡＮＣ」はアンカレッジ、「ＬＡＸ」はロサンゼルス、「ＤＥＮ」はデンバー、「Ｃ
ＨＩ」はシカゴ、「ＮＹＣ」はニューヨーク、「ＣＣＳ」はカラカス、「ＳＣＬ」はサン
ティアゴ、「ＲＩＯ」はリオデジャネイロ、「ＦＥＮ」はフェルナンド・デ・ノローニャ
諸島、「ＰＤＬ」はアゾレス諸島をそれぞれ表している。例えば、「ＴＹＯ」のコードは
東京を表し、このコードに対応してダイヤルリング４０に併記されている時差表示４５の
数字「９」より、東京はＵＴＣ＋９時間の標準時を使用していることを容易に判断するこ
とができる。
なお、本実施形態では、表示スペースの制約と視認性の向上との為、一部の時差表示４
５の時差に対応する代表都市名の表記は省略されている。また、代表都市名の表記方法は
一例であり、他の方法で表記してもよい。
【００９５】
指針２２，２３，８１ｂで指し示された現地時刻（内部時刻）のタイムゾーンは、リュ
ウズ５０の操作により指針２１の指し示すタイムゾーン表示４６で確認することができる
。例えば、「ＴＹＯ」と「９」のタイムゾーン表示より、現在、使用者は東京を代表都市
とする＋９時間のタイムゾーンに居ることがわかる。
【００９６】
次に、電子時計１０の電気的構成について説明する。
図６は、電子時計の電気制御ブロック図である。図６に示すように、電子時計１０は、
ＣＰＵ（中央処理装置）１５３、ＲＡＭ（Random Access Memory）１５４、ＲＯＭ（Read
Only Memory）１５５を基本構成とする制御部１５０と、受信部（ＧＰＳモジュール）１
２２、入力装置１５７、駆動機構１４０の周辺装置とを備えている。これらの各装置は、
データバス１５９を介してデータを送受信する。入力装置１５７は、図５に示すリュウズ
５０、Ａボタン６１、Ｂボタン６２、Ｃボタン６３、Ｄボタン６４である。なお、電子時
計１０は、電源となる充電可能な二次電池１３０（図４参照）を内蔵している。
【００９７】
受信部１２２は、アンテナ体１１０を備え、アンテナ体１１０を介して受信した衛星信
号を処理してＧＰＳ時刻情報や位置情報を取得する。アンテナ体１１０は、地球の上空を
所定の軌道で周回している複数のＧＰＳ衛星８（図１参照）から送信され、図４に示すカ
バーガラス３３とダイヤルリング４０とを通過した衛星信号の電波を受信する。
【００９８】
そして、受信部１２２は、図示は略すが、通常のＧＰＳ装置と同様に、ＧＰＳ衛星８（
図１参照）から送信される衛星信号を受信してデジタル信号に変換するＲＦ（Radio Freq
uency）部と、受信した衛星信号の相関判定を実行して航法メッセージを復調するＢＢ部
（ベースバンド部）と、ＢＢ部で復調された航法メッセージからＧＰＳ時刻情報や軌道情
報を取得して出力する情報取得部とを備えている。つまり、受信部１２２は、ＧＰＳ衛星
８から送信される衛星信号を受信し、受信結果に基づいてＧＰＳ時刻情報と軌道情報とを
出力する受信部として機能する。
【００９９】
ＲＦ部は、バンドパスフィルター、ＰＬＬ回路、ＩＦフィルター、ＶＣＯ（Voltage Co
ntrolled Oscillator）、ＡＤＣ（Ａ／Ｄ変換器）、ミキサー、ＬＮＡ（Low Noise Ampli
fier）、ＩＦアンプ等を備えている。バンドパスフィルターで抜き出された衛星信号は、
ＬＮＡで増幅された後、ミキサーでＶＣＯの信号とミキシングされ、ＩＦ（Intermediate
Frequency：中間周波数）にダウンコンバートされる。ミキサーでミキシングされたＩＦ
は、ＩＦアンプ、ＩＦフィルターを通り、ＡＤＣでデジタル信号に変換される。
【０１００】
ＢＢ部は、ＧＰＳ衛星８で送信時に使用されたものと同一のＣ／Ａコードからなるロー
カルコードを生成するローカルコード生成部と、ローカルコードとＲＦ部から出力される
受信信号との相関値を算出する相関部とを備える。そして、相関部で算出された相関値が
所定の閾値以上であれば、受信した衛星信号に用いられたＣ／Ａコードと、生成したロー
カルコードとが一致していることになり、衛星信号を捕捉（同期）することができる。こ
のため、受信した衛星信号を、ローカルコードを用いて相関処理することで、航法メッセ
ージを復調することができる。
【０１０１】
情報取得部は、ＢＢ部で復調した航法メッセージからＧＰＳ時刻情報や軌道情報を取得
する。航法メッセージには、プリアンブルデータ及びＨＯＷワードのＴＯＷ（Time of We
ek、「Ｚカウント」ともいう）、サブフレームデータが含まれている。サブフレームデー
タは、サブフレーム１からサブフレーム５まであり、各サブフレームには、例えば、週番
号データや衛星健康状態データを含む衛星補正データ等や、エフェメリス（ＧＰＳ衛星８
毎の詳細な軌道情報）や、アルマナック（全ＧＰＳ衛星８の概略軌道情報）などのデータ
が含まれている。したがって、情報取得部は、受信した航法メッセージから所定のデータ
部分を抽出することにより、ＧＰＳ時刻情報や軌道情報を取得することができる。
【０１０２】
ＲＡＭ１５４とＲＯＭ１５５とは、電子時計１０の記憶部である。
ＲＯＭ１５５には、ＣＰＵ１５３に実行されるプログラムやタイムゾーン情報などが記
憶される。タイムゾーン情報とは、共通の標準時を使用する地域（タイムゾーン）の位置
情報（緯度・経度）と、ＵＴＣに対する時差と、を管理するデータである。
ＣＰＵ１５３は、ＲＡＭ１５４を作業領域として使用し、ＲＯＭ１５５に記憶されたプ
ログラムを実行することにより、各種の演算、制御および計時を行う。この計時は、例え
ば、図示しない発振回路からの基準信号のパルス数を計数することによって行われる。
【０１０３】
ＣＰＵ１５３は、ＧＰＳ時刻情報と時刻補正パラメーターとから算出した時刻情報と、
ＧＰＳ時刻情報と軌道情報とから算出した現在地の位置情報（緯度、経度）と、ＲＯＭ１
５５（記憶部）に記憶されたタイムゾーン情報と、に基づいて内部時刻を修正する。ＣＰ
Ｕ１５３は、内部時刻が示されるように、駆動機構１４０の駆動制御を行う。これにより
、電子時計１０には、指針２２，２３，８１ｂ（図５参照）で指し示される時刻表示によ
り内部時刻が示される。
【０１０４】
また、ＣＰＵ１５３は、入力装置１５７の入力信号を検知して時間の積算を行い、積算
時間が指し示されるように、駆動機構１４０の駆動制御を行う。これにより、電子時計１
０には、指針２１，７１，８１ａ（図５参照）により積算時間が示される。
【０１０５】
また、ＣＰＵ１５３は、入力装置１５７の入力信号を検知して、ＲＡＭ１５４に記憶さ
れている電子時計１０の設定情報（情報表示部に表記されている記号など）が指し示され
るように、駆動機構１４０を駆動する制御を行う。これにより、電子時計１０には、指針
２１，８１ａ，８１ｂ（図５参照）の少なくとも一つの指針により、入力装置１５７の入
力信号に応じた電子時計１０の設定情報が指し示される。例えば、ＣＰＵ１５３が、リュ
ウズ５０（図２参照）の入力信号を検知すると、電子時計１０には、指針８１ａによりＲ
ＡＭ１５４に記憶されている夏時間の設定情報が指し示される。具体的には、指針８１ａ
は、夏時間：ＯＮの場合には、サマータイム表示８３の「ＤＳＴ」（図５参照）の表記を
指し示し、夏時間：ＯＦＦの場合には、サマータイム表示８３の「○」（図５参照）の表
記を指し示す。
【０１０６】
また、ＣＰＵ１５３は、入力装置１５７の入力信号を検知して、選択された設定情報を
ＲＡＭ１５４に記憶させる。ＣＰＵ１５３は、入力装置１５７の入力信号に応じて駆動装
置１４０を駆動する制御を行う。これにより、指針２１，８１ａ，８１ｂ（図５参照）の
いずれか一つの指針が、情報表示部に記号などで表記されている設定情報を指し示し、そ
の設定情報が選択される。そして、ＣＰＵ１５３は、入力装置１５７の入力信号を検知し
て、選択されている設定情報をＲＡＭ１５４に記憶させる。例えば、ＣＰＵ１５３が、Ｂ
ボタン６２の入力信号を検知すると、サマータイム表示８３の「○」の記号を指していた
指針８１ａが、「ＤＳＴ」の記号を指し示し、夏時間：ＯＮが選択される。そして、ＣＰ
Ｕ１５３が、リュウズ５０の入力信号を検知すると、ＣＰＵ１５３は、夏時間：ＯＮの設
定をＲＡＭ１５４に記憶させる。
【０１０７】
なお、本実施形態で説明した入力装置１５７（Ａボタン６１、Ｂボタン６２、Ｃボタン
６３、Ｄボタン６４、リュウズ５０）の操作は一例であり、説明と異なる入力装置を用い
て操作させてもよい。
【０１０８】
また、本実施形態では、外部信号としてＧＰＳ衛星８から送信される電波を用いるもの
として説明したが、これに限定するのもではない。例えば、外部信号としては、ガリレオ
（Galileo）、ＧＬＯＮＡＳＳ（Global Navigation Satellite System）などの全地球航
法衛星システム（ＧＮＳＳ：Global Navigation Satellite System）や、政府や国際機関
が放送している各地域の標準電波を使用することができる。また、正確な時刻や位置の情
報を有する携帯電話やスマートフォンからBluetooth（登録商標）などの通信機能による
電波（外部信号）で、これらの情報を電子時計１０に受信させてもよい。また、本発明は
、種々の方式を問わないが、クォーツ時計であれば、正確な時刻を長時間表示することが
可能であり、アナログ時計であれば、多くの情報を同時に確認し易く、ファッション性に
も優れている。
【０１０９】
以上述べたように、本実施形態に係る電子時計１０によれば、以下の効果を得ることが
できる。
電子時計１０は、ＧＰＳ衛星８などからの衛星信号を受信して、現在地の位置情報と時
刻情報を算出し現地時刻を表示するワールドタイム機能と、時刻の積算値を表示するクロ
ノグラフ機能とを含む多くの機能を備えた腕時計である。この電子時計１０の文字板１１
には、ワールドタイム機能およびクロノグラフ機能に関する複数の情報を組み合わせて表
示する情報表示部を備えた複数の第１小時計８０ａ，８０ｂが、設けられている。複数の
第１小時計８０ａ，８０ｂは、文字板１１の３時位置と９時位置とを結ぶ直線または文字
板の１２時位置と６時位置とを結ぶ直線のいずれかの直線に重なる位置に設けられている
。また、文字板１１には、文字板１１の中心より４時の方向にカレンダー表示１５が設け
られている。これにより、電子時計１０の美観と視認性とを向上させて、多くの情報を表
示することができる。したがって、デザインの美観と多くの機能表示とを両立させた電子
時計１０を提供することができる。
【符号の説明】
【０１１０】
８…ＧＰＳ衛星、１０…電子時計、１１…文字板、１５…カレンダー表示、２１，２２
，２３…指針、２５…指針軸、３０…外装ケース、３１…ケース、３２…ベゼル、３３…
カバーガラス、３４…裏蓋、３５…都市表示、４０…ダイヤルリング、４５…時差表示、
４６…タイムゾーン表示、５０…リュウズ、６１…Ａボタン、６２…Ｂボタン、６３…Ｃ
ボタン、６４…Ｄボタン、７０…第２小時計、７１…指針、７２…積算分表示、８０ａ，
８０ｂ…第１小時計、８１ａ，８１ｂ…指針、８２…積算時表示、８３…サマータイム表
示、８４…充電量表示、８５…受信禁止表示、８６…受信モード表示、８７…衛星捕捉数
表示、８８…受信結果表示、８９…時刻秒表示、１１０…アンテナ体、１２０…回路基板
、１２２…受信部、１２５…地板、１３０…二次電池、１３５…ソーラーパネル、１４０
…駆動機構、１５０…制御部、１５３…ＣＰＵ、１５４…ＲＡＭ、１５５…ＲＯＭ、１５
７…入力装置、１５９…データバス。
【図１】
2015169497.tif 000003
【図２】
2015169497.tif 000004
【図３】
2015169497.tif 000005
【図４】
2015169497.tif 000006
【図５】
2015169497.tif 000007
【図６】
2015169497.tif 000008